(57)【特許請求の範囲】
【請求項１】
写真フィルムを装入可能なフィルム装入口と、装入された写真フィルムを前記フィルム装入口から延びた搬送レーン上で所定の速度で搬送するための主搬送機構と、写真フィルムに担持されたアナログ画像情報を光学的に読み取ってデジタル画像情報に変換するために前記搬送レーン上に配置された画像読取ポイントと、前記画像読取ポイントを通過した写真フィルムを巻き取って一時保管するための巻取り装置とを備え、
前記画像読取ポイントでは、主走査方向に延びたラインＣＣＤによる画像読取が写真フィルムを副走査方向に搬送しながら行われ、
前記巻取り装置は、写真フィルムを巻き取る回転ドラムと、写真フィルムを前記回転ドラムの周面に押付け付勢可能な付勢部材とを有し、写真フィルムを前記回転ドラムに巻き取りながら前記画像読取を行う巻取りモードと、写真フィルムを前記回転ドラムに巻き取ることなく素通りさせながら前記画像読取を行う通過モードとの間で切り換え可能に設けられており、
前記巻取り装置の前記通過モードへの切り換えに応じて、写真フィルムを前記回転ドラムの周面から解放するために、前記付勢部材をその全部位が前記回転ドラムの周面から離間した解放姿勢にする切り換え機構を有する画像読取装置。
【請求項２】
前記巻取り装置は、写真フィルムの先端を前記巻取り装置の更に下流側に位置するフィルム排出口へと案内する排出姿勢と、写真フィルムの先端を前記巻取り装置の前記回転ドラムの周面へと案内する巻取り姿勢との間で姿勢変更可能な案内アームを有し、
前記切り換え機構は、前記巻取り装置の前記通過モードへの切り換えに応じて、前記付勢部材を前記解放姿勢に切り換え、それと同時に、前記案内アームを前記排出姿勢に切り換えるアクチュエータを有する請求項１に記載の画像読取装置。
【請求項３】
前記巻取り装置と前記フィルム排出口の間に、写真フィルムを前記主搬送機構と等しい搬送速度で搬送可能な補助搬送機構が設けられている請求項２に記載の画像読取装置。
【請求項４】
前記画像読取ポイントでは、前記主搬送機構による写真フィルムの前記フィルム装入口から前記フィルム排出口側への副走査方向の搬送に基づいて、前記副走査方向と交差する主走査方向に延びたラインＣＣＤによって、写真フィルムの前記アナログ画像情報が写真プリントを作成するために使用可能なレベルの高解像度のデジタル画像情報に変換される請求項１から３のいずれか一項に記載の画像読取装置。
【発明の詳細な説明】
【０００１】
【発明の属する技術分野】
本発明は、写真フィルムを装入可能なフィルム装入口と、装入された写真フィルムを前記フィルム装入口から延びた搬送レーン上で所定の速度で搬送するための主搬送機構と、写真フィルムに担持されたアナログ画像情報を光学的に読み取ってデジタル画像情報に変換するために前記搬送レーン上に配置された画像読取ポイントと、前記画像読取ポイントを通過した写真フィルムを巻き取って一時保管するための巻取り装置とを備え、
前記巻取り装置は、写真フィルムを巻き取る回転ドラムと、写真フィルムを前記回転ドラムの周面に押付け付勢可能な付勢部材とを有し、写真フィルムを巻き取る巻取りモードと、写真フィルムを巻き取ることなく素通りさせる通過モードとの間で切り換え可能に設けられている画像読取装置に関する。
【０００２】
【従来の技術】
上記の画像読取装置の例として、特開２０００−５６４０５号公報に記されたフィルム搬送ユニットが知られている。このフィルム搬送ユニットは、先ず、フィルム挿入部から挿し込まれた写真フィルムを駆動ローラ対によって下流側に搬送し、巻き取り用ドラムに巻き取りながらスキャナーで各駒の画像情報を読み取ってコントローラに提供し、読み取りが完了したら写真フィルムを巻き取り用ドラムから抜き取りながら一旦上流側に戻してフィルム挿入部から排出してしまい、次に、あらためて、最終的に下流側に１駒ずつ搬送しながら、スキャナーから送られた前記画像情報に基づいてコントローラが算出して得た露光条件で各駒の画像を印画紙に投影露光する。この最終の搬送工程では、写真フィルムは巻き取り用ドラムに巻き取られることなく、巻き取り用ドラムを通過してフィルム搬送ユニットの外に排出されるが、この時、写真フィルムは第２圧着ローラによって巻き取り用ドラムの周面に押付けられたまま、駆動ローラ対を超える周速度で回転する巻き取り用ドラムによって高速で排出される構成となっている。
【０００３】
ところで、写真プリントへ走査露光するプリントデータの元になるレベルの高解像度のデジタル画像情報を読み取る画像読取装置を設計する際に、画像読取ポイントを通過した写真フィルムを巻き取って一時保管するための巻取り装置を備えながら、写真フィルムを巻取り装置を素通りさせながら高解像度のデジタル画像情報を読み取るワンパスモードで使用可能な画像読取装置とすると有利な場合がある（通常はこの他に、先ず、写真フィルムを巻取り装置で巻き取りながらプレスキャン操作として低解像度の画像読取を行い、次に、写真フィルムを巻取り装置から引き出しながら本スキャン操作として高解像度の画像読取を行うツーパスモードが選択的に使用される）。
【０００４】
そして、高解像度のデジタル画像情報を読み取る画像読取装置に、先述の従来技術によるフィルム搬送ユニットの構成をそのまま応用すれば、巻き取り用ドラムから写真フィルムに与えられる作用力（フィルム搬送用の駆動系と巻き取り用ドラムの間に摩擦クラッチが介装されている場合はこの摩擦クラッチに基づく摩擦力も作用力として働く）が、搬送機構による写真フィルムの搬送速度に影響を及ぼし、この影響に対応するノイズがデータ内に生じる結果となり、十分な精度のデジタル画像データが獲得できない虞がある。
【０００５】
【発明が解決しようとする課題】
したがって、本発明の目的は、上に例示した従来技術による画像読取装置の持つ前述した欠点に鑑み、写真フィルムを巻取り装置を素通りさせながら高解像度のデジタル画像情報を読み取るワンパスモードで使用する際にも、十分な精度のデジタル画像データが獲得可能な画像読取装置を提供することにある。
【０００６】
【課題を解決するための手段】
上記目的を達成するために、本発明に係る画像読取装置は、特許請求の範囲の欄の請求項１から４に記された特徴構成を備えている。
すなわち、本発明の請求項１による画像読取装置は、
写真フィルムを装入可能なフィルム装入口と、装入された写真フィルムを前記フィルム装入口から延びた搬送レーン上で所定の速度で搬送するための主搬送機構と、写真フィルムに担持されたアナログ画像情報を光学的に読み取ってデジタル画像情報に変換するために前記搬送レーン上に配置された画像読取ポイントと、前記画像読取ポイントを通過した写真フィルムを巻き取って一時保管するための巻取り装置とを備え、
前記画像読取ポイントでは、主走査方向に延びたラインＣＣＤによる画像読取が写真フィルムを副走査方向に搬送しながら行われ、
前記巻取り装置は、写真フィルムを巻き取る回転ドラムと、写真フィルムを前記回転ドラムの周面に押付け付勢可能な付勢部材とを有し、写真フィルムを前記回転ドラムに巻き取りながら前記画像読取を行う巻取りモードと、写真フィルムを前記回転ドラムに巻き取ることなく素通りさせながら前記画像読取を行う通過モードとの間で切り換え可能に設けられており、
前記巻取り装置の前記通過モードへの切り換えに応じて、写真フィルムを前記回転ドラムの周面から解放するために、前記付勢部材をその全部位が前記回転ドラムの周面から離間した解放姿勢にする切り換え機構を有することを特徴構成としている。
このような構成を備えているために、請求項１による画像読取装置では、主搬送機構によって下流側に送られる写真フィルムは、単に前記巻取り装置を素通りするのみでなく、巻取り装置の周面に押付けられること、言い換えれば、回転ドラムや付勢部材の作用を受けることなく通過することになる。その結果、写真フィルムを巻取り装置を素通りさせながら高解像度のデジタル画像情報を読み取るワンパスモードで使用する際にも、十分な精度のデジタル画像データが獲得できるという効果が得られる。
【０００７】
上記請求項１の構成を実現するに当たっては、特に、前記巻取り装置は、写真フィルムの先端を前記巻取り装置の更に下流側に位置するフィルム排出口へと案内する排出姿勢と、写真フィルムの先端を前記巻取り装置の前記回転ドラムの周面へと案内する巻取り姿勢との間で姿勢変更可能な案内アームを有し、
前記切り換え機構は、前記巻取り装置の前記通過モードへの切り換えに応じて、前記付勢部材を前記解放姿勢に切り換え、それと同時に、前記案内アームを前記排出姿勢に切り換えるアクチュエータを有する構成とすることができる。このような構成とすれば、同時に姿勢切り換えされる付勢部材と案内アームの作用によって、写真フィルムの先端は、「通過モード」では回転ドラムの周面に押付けられることなく巻取り装置を素通りするコース（一般に水平に延びたコース）へ、そして、「巻き取りモード」では付勢部材によって回転ドラムの周面に押付けられながら巻取り装置の回転ドラムの周面に巻き取られるコース（一般に下向きに傾斜するコース）へと、確実かつ円滑に案内され、しかも、「通過モード」では写真フィルムの先端を含めた全体が回転ドラムの周面に押付けられることなく巻取り装置を素通りするので、ワンパスモードで十分な精度の高解像度のデジタル画像情報が獲得されるという効果が得られる。
【０００８】
さらに、前記巻取り装置と前記フィルム排出口の間に、写真フィルムを前記主搬送機構と等しい搬送速度で搬送可能な補助搬送機構が設けられた構成とすることができる。
このような構成とすれば、補助搬送機構が巻取り装置よりも下流側の位置で、「通過モード」で巻取り装置を素通りして来る写真フィルムの後端をさらに下流側へと搬送することができるので、写真フィルムの全体を画像読取装置の外へ排出できる。その結果、写真フィルムのスキャニング処理速度が高まるという好ましい効果が得られる。
【０００９】
本発明によるその他の特徴および利点は、以下図面を用いた実施形態の説明により明らかになるであろう。
【００１０】
【発明の実施の形態】
図１は、本発明による画像読取装置の一実施形態としてのスキャナ装置１の外観を示す。
（スキャナ装置とその構成）
スキャナ装置１は、現像済みの写真フィルムＦに形成されたアナログ画像データを、写真フィルムの各画像駒を透過する透過光をＣＣＤで受光することによってデジタル画像データに変換するためのものである。得られたデジタル画像データは、一般に、スキャナ装置１に接続されたデジタルプリント装置（不図示）乃至はコンピュータ（不図示）の記憶部などに一旦格納され、適当な時期に所望の方式で出力することができる。出力方式としては、前記デジタルプリント装置などによる銀塩式の写真プリントへの出力の他に、コンパクトディスク、ＭＯその他の記憶媒体への保存という形態の出力が可能となる。
【００１１】
スキャナ装置１は、下面に移動用のキャスタ４が付けられた直方体のキャビネット３を有するスキャナ本体２と、スキャナ本体２の上面に着脱自在に設けられたフィルムキャリア９とを備えている。尚、市中には、フィルムの外形の幅が約３５ｍｍの１３５フィルム、幅が２４ｍｍでＡＰＳフィルムとも呼ばれる２４０フィルム、幅が１６ｍｍの１１０フィルム、幅が６０ｍｍの１２０或いは２２０フィルムと言った、複数の形態の写真フィルムが存在するので、フィルムキャリアも複数の型のものが用意されている。ここでは、１３５フィルムＦ１と２４０フィルムＦ２の２種類のフィルムに対応した兼用型のフィルムキャリア９について解説する。
尚、ここでは、１３５フィルムＦ１としては、６駒程度以下の画像駒を備えた短いピースフィルムの状態の写真フィルムを、２４０フィルムＦ２としては、専用のカートリッジＦＣ内に引き出し可能に収納されている２４０フィルムＦ２を処理するものとして説明する。
【００１２】
（スキャナ本体の構成）
スキャナ本体２の内部には光源ランプ５が配置されており、スキャナ本体２の上面には、光源ランプ５からの光ビームをフィルムキャリア９内に支持された写真フィルムＦを透過する下向きの光ビームに変換する導光アーム６が設けられている。導光アーム６内には、光源ランプ５から発され一旦キャビネット３外まで進む上向きの光路を水平の光路に変換する第１反射ミラー６ａと、この水平の光路を更に下向きの光路に変換して、フィルムキャリア９内に支持された写真フィルムに導く第２反射ミラー６ｂとが設けられている。但し、光ファイバー束などからなる導光手段を、第１反射ミラー６ａと第２反射ミラー６ｂとからなる構成に代えても良い。
スキャナ本体２の内部にはさらに、写真フィルムＦの画像駒を透過した透過光を受光し、デジタル画像データに光電変換するためのラインＣＣＤ８、幾つかのフィルム幅規格から選択される任意の幅を備えた写真フィルムＦから届けられる光ビームの幅をラインＣＣＤ８の幅に適合させ、同時に、前記透過光が形成するアナログ画像をＣＣＤ８の入力面に合焦させるズームレンズ７などが配置されている。ラインＣＣＤ８は、スキャニングの主走査方向と一致する図１の矢印Ａと平行に延びている。
【００１３】
（フィルムキャリアの構成）
図２と図３に示すように、フィルムキャリア９は、合成樹脂などで形成された筐体状のフィルムキャリア本体１０を有する。フィルムキャリア本体１０は、スキャナ本体２の上面に設けられた位置決めレールを受け入れる係合溝（不図示）を下面に備えた下側本体１０Ｌと、下側本体１０Ｌの上面を覆う上側本体１０Ｕとからなる。フィルムキャリア本体１０の右辺には、オペレータが装入する１３５フィルムＦ１を受け入れる装入口１０ａ（フィルム装入口の一例）が設けられており、左辺には必要に応じて１３５フィルムＦ１を左側から排出するための排出口１０ｂ（フィルム排出口の一例）が設けられている。
【００１４】
上側本体１０Ｕは、オペレータから見て奥側の第１部位１０Ｆと、オペレータから見て手前側の第２部位１０Ｇとからなり、これら２つの部位１０Ｆ，１０Ｇは水平な軸芯を備えたヒンジ（不図示）によって連結されている。そして、通常は第１部位１０Ｆは下側本体１０Ｌにネジ止めされているが、第２部位１０Ｇは、下側本体１０Ｌの上面を閉じた閉鎖姿勢（図２の状態）と、下側本体１０Ｌの上面が開放されて、内部の構造にアクセス可能な開放姿勢（不図示）との間で切り換え可能に設けられている。第２部位１０Ｇと下側本体１０Ｌの間には、第２部位１０Ｇを閉鎖姿勢で保持するロック機構（不図示）が設けられている。フィルムキャリア９はこの閉鎖姿勢でスキャナ本体２の導光アーム６の下に設置可能となる。
【００１５】
上側本体１０Ｕ（第２部位１０Ｇ）には、導光アーム６の先端から下向きに延びるスキャニング用の光ビームを受け入れる上側開口部１１Ｕが形成されている。同様に、下側本体１０Ｌには、写真フィルムＦの画像駒を透過した透過光をスキャナ本体２の内部のラインＣＣＤに導く下側開口部（不図示）が形成されている。上側開口部１１Ｕと下側開口部の副走査方向に延びた中心軸は、ラインＣＣＤ８によるスキャニングポイントＳＰと略一致する。装入口１０ａから受け入れられた１３５フィルムＦ１は（尚、後述する２４０フィルムＦ２も同様である）、装入口１０ａと排出口１０ｂを結ぶ直線と一致する固定された搬送軸芯Ｘｍ（図２を参照）に沿って、言い換えれば、矢印Ａと直交する副走査方向に搬送されながらスキャニングポイントＳＰでスキャニングされる。
【００１６】
また、図３と図６に示すように、フィルムキャリア本体１０内には、１３５フィルムＦ１用の第１搬送レーンＦＬ１と２４０フィルムＦ２用の第２搬送レーンＦＬ２とを同時に備えたデュアルレーンユニット３０が設けられている。第１搬送レーンＦＬ１と第２搬送レーンＦＬ２の各搬送方向の軸芯Ｘ１，Ｘ２上には、それぞれ、導光アーム６の先端から送られる光ビームを、その断面形状を適切に整えた状態で各写真フィルムに照射する第１と第２スリットＳＬ１，ＳＬ２が設けられている。
図６（イ）と図６（ロ）とに示すように、デュアルレーンユニット３０は、下側本体１０Ｌの床面に形成された一対のレール（不図示）上を副走査方向に沿って摺動自在に支持されている。そして、デュアルレーンユニット３０は、１３５フィルムＦ１用の第１スリットＳＬ１がスキャニングポイントＳＰと一致する第１位置（図６（イ）の状態）と、２４０フィルムＦ２用の第２スリットＳＬ２がスキャニングポイントＳＰと一致する第２位置（図６（ロ）の状態）との間を任意に移動可能であり、前記第１と第２位置のいずれか一方の位置で選択的に仮止めすることができる。尚、このデュアルレーンユニット３０の位置の切り換え、及び、仮止めは、フィルムキャリア９外に突出した第１操作ハンドルＨ１を介して、オペレータの手動操作によって行われる。
【００１７】
（フィルム搬送機構）
フィルムキャリア９には、写真フィルムＦを一定の速度で副走査方向に搬送するフィルム搬送機構２０が搭載されている。図４と図５に示すように、フィルム搬送機構２０は、デュアルレーンユニット３０の第１搬送レーンＦＬ１上に副走査方向に沿って配置された４組の搬送ローラ対Ｒｐ１ａ，Ｒｐ１ｂ，Ｒｐ１ｃ，Ｒｐ１ｄ（これらの搬送ローラ対は主搬送機構の一例）と、第２搬送レーンＦＬ２上に副走査方向に沿って配置された３組の搬送ローラ対Ｒｐ２ａ，Ｒｐ２ｂ，Ｒｐ２ｃ（これらの搬送ローラ対も主搬送機構の一例）と、やはりデュアルレーンユニット３０上に固定されたモータＭ１と、モータＭ１の回転駆動力をこれらの各搬送ローラ対に伝達するために適宜回転自在に配置されたタイミングギヤとタイミングベルトとを有する。モータＭ１を正転させれば、写真フィルムＦは、第１搬送レーンＦＬ１或いは第２搬送レーンＦＬ２上を図４の左向きに搬送され、モータＭ１を逆転させれば、第１搬送レーンＦＬ１或いは第２搬送レーンＦＬ２上を図４の右向きに搬送される。
【００１８】
尚、図３に示すように、デュアルレーンユニット３０は、フィルムキャリア９の下側本体１０Ｌに直接支持されたレーンユニット本体３０ａと、レーンユニット本体３０ａの上面に揺動自在に支持された第１と第２揺動プレート３１ａ，３１ｂとを有する。第１と第２揺動プレート３１ａ，３１ｂは、これらの揺動プレート３１ａ，３１ｂの奥側の辺に配置されたヒンジを介して、レーンユニット本体３０ａが水平姿勢を取って揺動プレート３１ａ，３１ｂの全体がレーンユニット本体３０ａに近接した閉鎖位置（図２の状態ではこの閉鎖位置が実現されているが、揺動プレート３１ａ，３１ｂは示されていない）と、レーンユニット本体３０ａが傾斜姿勢を取って揺動プレート３１ａ，３１ｂの手前側がレーンユニット本体３０ａから離間した開放位置（図３に示す状態）との間で切り換え可能に設けられている。第１と第２揺動プレート３１ａ，３１ｂの手前側の辺付近には、オペレータが第１と第２揺動プレート３１ａ，３１ｂを下向きに押付ける操作に応じて、第１と第２揺動プレート３１ａ，３１ｂを自動的に前記閉鎖位置に固定するロック手段（不図示）が設けられている。逆に前記ロック手段を手で解除操作すれば、第１と第２揺動プレート３１ａ，３１ｂは付勢手段（不図示）によって自動的に開放位置に変位する。
因みに、揺動プレート３１ａ，３１ｂを開放位置に引き上げる操作は、フィルムキャリア本体１０の第２部位１０Ｇを開放姿勢に切り換えた後で初めて可能であるが、図３では第２部位１０Ｇを省略している。
【００１９】
レーンユニット本体３０ａには、第１と第２搬送レーンＦＬ１，ＦＬ２の下面（写真フィルムＦの下向き面、すなわち乳剤面と対向する）が形成されており、第１と第２揺動プレート３１ａ，３１ｂには、第１と第２搬送レーンＦＬ１，ＦＬ２の上面（写真フィルムＦの上向き面、すなわちベース面と対向する）が形成されている。
より具体的には、図３に示すように、第１搬送レーンＦＬ１の上流側の２組の搬送ローラ対Ｒｐ１ａ，Ｒｐ１ｂと第２搬送レーンＦＬ２の最初の搬送ローラ対Ｒｐ２ａを構成する各上側の各搬送ローラＲ１ａ，Ｒ１ｂ，Ｒ２ａは、第１揺動プレート３１ａに支持されており、第１揺動プレート３１ａが前記閉鎖位置を取った状態では、これらの各搬送ローラは、レーンユニット本体３０ａ側の対応位置に配置された下側の搬送ローラＲ１ａ，Ｒ１ｂ，Ｒ２ａに押付けられる。
【００２０】
同様に、第１搬送レーンＦＬ１の下流側の２組の搬送ローラ対Ｒｐ１ｃ，Ｒｐ１ｄと第２搬送レーンＦＬ２の後半の搬送ローラ対Ｒｐ２ｂ，Ｒｐ２ｃを構成する各上側の各搬送ローラＲ１ｃ，Ｒ１ｄ，Ｒ２ｂ，Ｒ２ｃは、第２揺動プレート３１ｂに支持されており、第２揺動プレート３１ｂが前記閉鎖位置を取った状態では、これらの各搬送ローラは、レーンユニット本体３０ａ側の対応位置に配置された下側の搬送ローラＲ１ｃ，Ｒ１ｄ，Ｒ２ｂ，Ｒ２ｃに押付けられる。
尚、レーンユニット本体３０ａに支持された下側の搬送ローラＲ１ａ，Ｒ１ｂ，Ｒ１ｃ，Ｒ１ｄ，Ｒ２ａ，Ｒ２ｂ，Ｒ２ｃは、タイミングギヤとタイミングベルトを介してモータＭ１によって直接回転駆動される駆動ローラであるが、第１揺動プレート３１ａと第２揺動プレート３１ｂに支持された上側の搬送ローラＲ１ａ，Ｒ１ｂ，Ｒ１ｃ，Ｒ１ｄ，Ｒ２ａ，Ｒ２ｂ，Ｒ２ｃは、下側の搬送ローラＲ１ａ，Ｒ１ｂ，Ｒ１ｃ，Ｒ１ｄ，Ｒ２ａ，Ｒ２ｂ，Ｒ２ｃとの互いの周面の間で発生する摩擦（乃至は、各ローラ対の間に挟着された写真フィルムＦと前記周面との間で発生する摩擦）に基づいて従動的に駆動される従動ローラになっている。
【００２１】
（フィルム搬送機構の巻取りユニットについて）
さらに、図４、図５及び図６に示すように、フィルム搬送機構２０は、排出口１０ｂの直前に配置された固定排出ローラ対Ｒｐ１ｅ（すなわち、下方の固定排出ローラＲ１ｅと上方の固定排出ローラＲ１ｅ）、および、排出ローラ対Ｒｐ１ｅとデュアルレーンユニット３０の下流側端部の間に配置された巻取りユニット４０（巻取り装置の一例）とを含む。
巻取りユニット４０は、排出口１０ｂからフィルムキャリア９外に排出させたくない１３５フィルムＦ１及び２４０フィルムＦ２をその先端から巻き取って一時的にフィルムキャリア９内に保管する。尚、巻取りユニット４０は、デュアルレーンユニット３０側から供給されてくる写真フィルムＦを巻取りユニット４０のドラム４１の周面上に巻き取る巻取りモード（図１２（イ）の状態）と、供給されてくる写真フィルムＦを巻き取ることなく、そのまま素通りさせ、下流の排出ローラ対Ｒｐ１ｅに供給する通過モード（図１２（ロ）の状態）との間で切り換え可能に設けられている。
【００２２】
他方、固定排出ローラ対Ｒ１ｅ，Ｒ１ｅは、デュアルレーンユニット３０側から供給されてくる１３５フィルムＦ１を、右側の装入口１０ａ側に戻すことなく、左側の排出口１０ｂからフィルムキャリア９外に排出するために設けられている。固定排出ローラ対Ｒ１ｅ，Ｒ１ｅは、写真フィルムを前記主搬送機構と等しい搬送速度で搬送するために巻取りユニット４０と排出口１０ｂの間に設けられた「補助搬送機構」の一例を構成する。
【００２３】
尚、巻取りユニット４０と固定排出ローラ対Ｒ１ｅ，Ｒ１ｅとは、移動可能なデュアルレーンユニット３０上ではなく、フィルムキャリア９内の一定の位置に固定設置されているが、デュアルレーンユニット３０上の各ローラ対と同様にモータＭ１からの回転駆動力によって駆動される。すなわち、図５に示すように、デュアルレーンユニット３０の下流側端部の手前側の下面には、モータＭ１の回転駆動力をデュアルレーンユニット３０外に分配する出力ギヤＤＧが設けられており、他方、下側本体１０Ｌには、出力ギヤＤＧと噛合する入力ギヤＬＧが回転自在に支持されている。この入力ギヤＬＧは、デュアルレーンユニット３０の前記第１と第２位置の間での移動に関わらず常に出力ギヤＤＧと噛合状態を保持可能なように、主走査方向に非常に長い幅を備えた形状を有する。
【００２４】
（２つのスキャニング操作方法について）
ところで、フィルムキャリア９を用いた場合は、ツーパス方式とワンパス方式という２種類のスキャニング操作方法が可能となる。
１３５フィルムＦ１にツーパス方式を適用する例を図１４（イ）、（ロ）に、２４０フィルムＦ２にツーパス方式を適用する例を図１５（イ）、（ロ）に示す。ツーパス方式では、先ず、第１工程として、装入口１０ａから受け入れられた写真フィルムＦを左向きに高速で搬送し、スキャニングポイントＳＰを越えた写真フィルムＦの部位を巻取りユニット４０に巻き取りながら、指定された画像駒のプレスキャンを行う（図１４（イ）並びに図１５（イ）の工程）。次に、第２工程として、巻き取られた写真フィルムＦの部位を巻取りユニット４０から引き出しながら、写真フィルムＦを今度は右向きに低速で搬送しながら搬送しながら本スキャンを行う（図１４（ロ）並びに図１５（ロ）の工程）。
【００２５】
ツーパス方式におけるプレスキャンでは、スキャニングを必要とする画像駒の位置（言い換えれば画像駒どうしの間に位置する素抜け部の位置）の特定など補助的な情報の入手を行うと共に、前記デジタルプリント装置などのモニタスクリーンに表示された画像に基づいて色補正操作等のプレジャッジを実施するために最小限必要な低解像度の画像データを、前記画像駒からラインＣＣＤ８によって前記記憶部の所定領域に取込む。
【００２６】
ツーパス方式における本スキャンでは、前記プレスキャンで得られた画像駒の位置情報などに基づいて、前記デジタルプリント装置によるプリント出力などに必要な高解像度の画像データを前記画像駒からラインＣＣＤ８によって前記記憶部の別の所定領域に取込む。次に、前記記憶部に取込まれた高解像度の画像データに前記プレジャッジで得られた色補正条件を反映したプリントデータが作成され、例えば、前記記憶部の前記所定領域に上書きされ、適宜プリント等に出力される。前記プレスキャンで得られた画像データは、対応する画像駒のプリントデータの格納に応じて次々に削除されるので、その分だけ前記記憶部の容量が小さくて済む。
【００２７】
１３５フィルムＦ１にワンパス方式を適用した例を図１４（ハ）に示す。ワンパス方式では、装入口１０ａから受け入れられた写真フィルムＦを左向きに低速で搬送しながら、指定された画像駒の一度限りのスキャンを、プレスキャンと本スキャンを兼ねたスキャニングとして行う。
図１４（ハ）に示すように、１３５フィルムＦ１に対してワンパス方式を行う場合には、デュアルレーンユニット３０から下流側に供給される写真フィルムＦの部位を巻取りユニット４０に巻き取る操作は行われず、巻取りユニット４０を通過モードに設定しておくことで、１３５フィルムＦ１が巻取りユニット４０の巻取りドラム４１上を素通りし、下流の固定排出ローラ対Ｒ１ｅ，Ｒ１ｅの搬送力によって排出口１０ｂからフィルムキャリア９外に排出される。これによって、スキャンを完了した１３５フィルムＦ１を右向きに戻す必要がなくなることから、スキャニングの処理効率が大きく向上する。尚、２４０フィルムＦ２に対しては、一般にワンパス方式のスキャニングは行われない。
【００２８】
（排出ローラ対の構成）
図１２と図１３に示すように、固定排出ローラ対Ｒ１ｅ，Ｒ１ｅもまた、レーンユニット本体３０ａに支持された下側の搬送ローラＲ１ｅと、レーンユニット本体３０ａの上面に揺動自在に支持された第３揺動プレート３１ｃに支持された上側の搬送ローラＲ１ｅとからなる。そして、下側の搬送ローラＲ１ｅは、タイミングギヤとタイミングベルトを介してモータＭ１によって直接回転駆動される駆動ローラであるが、上側の搬送ローラＲ１ｅは、下側の搬送ローラＲ１ｅとの互いの周面の間で発生する摩擦（乃至は、各ローラ対の間に挟着された写真フィルムＦと前記周面との間で発生する摩擦）に基づいて従動的に駆動される従動ローラである。
さらに、下側の搬送ローラＲ１ｅと直結したタイミングプーリの軸芯の上には、ワンウェイクラッチ機構３３が介装されている。この構成の結果、モータＭ１が正転駆動されると、下側の搬送ローラＲ１ｅは、レーンユニット本体３０ａの下側の各搬送ローラＲ１ａ，Ｒ１ｂ，Ｒ１ｃ，Ｒ１ｄ，Ｒ２ａ，Ｒ２ｂ，Ｒ２ｃと同一の周速度で回転駆動されて、１３５フィルムＦ１を下流側に搬送するが（図１３（イ）の状態）、モータＭ１が逆転駆動された場合には、ワンウェイクラッチ３３の作用で、モータＭ１の駆動力は実質的に排出ローラ対Ｒ１ｅ，Ｒ１ｅに伝えられない（図１３（ロ）の状態）。言い換えれば、モータＭ１が逆転駆動された場合には、ワンウェイクラッチ機構３３の作用で、下側の搬送ローラＲ１ｅは、僅かな荷重の抵抗によって回転不能な状態に保持される。
【００２９】
この搬送ローラＲ１ｅの構成は、ワンパス方式によるスキャン操作を完了した１３５フィルムＦ１が、排出ローラ対Ｒ１ｅ，Ｒ１ｅによって排出口１０ｂからフィルムキャリア９外に排出された後に、ツーパス方式によるスキャン操作を完了した１３５フィルムＦ１、または、ツーパス方式乃至はワンパス方式によるスキャン操作を完了した２４０フィルムＦ２が、モータＭ１の逆転によって右向きに戻された場合に、先の１３５フィルムＦ１が排出ローラ対Ｒ１ｅ，Ｒ１ｅによって再びフィルムキャリア９内に引き込まれて、例えば巻取りユニット４０などでジャミングを起こすと言った事態を防止するための構成である。
【００３０】
（巻取りユニットの詳細な構造）
図５、図７、図１０および図１１に示すように、巻取りユニット４０は、主に、巻取りドラム４１と、モータＭ１の正転に基づく回転力を巻取りドラム４１に伝えて巻取りドラム４１をフィルム巻取り方向に回転駆動するための入力部４１Ｂと、巻取りドラム４１の上流側上方に位置する軸芯Ｘ３周りで揺動自在に支持された第１ガイドアーム４２（付勢部材の一例）と、巻取りドラム４１の下流側下方に位置する軸芯Ｘ４周りで揺動自在に支持された第２ガイドアーム４３（案内アームの一例）と、巻取りドラム４１の上流側下方に位置する軸芯Ｘ５周りで揺動自在に支持された保持アーム４４とを有する。また、巻取りユニット４０は、第１ガイドアーム４２と共通の軸芯Ｘ３回りで揺動可能に支持された操作アーム５１と、操作アーム５１を揺動操作するソレノイド４９（切り換え機構の一例）とを有するアクチュエータ機構５０（切り換え機構の一例）を含む。
【００３１】
尚、巻取りドラム４１による写真フィルムＦの巻き取り速度は、巻取りドラム４１上への写真フィルムＦの巻き取りが進行して写真フィルムＦの最外周面の径が増大するに従って高まっていくので、モータＭ１の正転に応じた巻取りドラム４１の回転速度は、巻き取り開始時期に写真フィルムＦの弛みが生じないように、巻取りドラム４１上への写真フィルムＦの巻き取り操作が開始される前の状態を基準にして設定されている。
そして、写真フィルムＦの巻き取りが進行した時に、逆に写真フィルムＦどうしが巻取りドラム４１の回転力が与える強い力で互いに押し付けられて損傷することのないように、入力部４１Ｂと巻取りドラム４１の間にはフリクションクラッチ４１ｃが介装されている（図５を参照）。
また、巻取りドラム４１に巻き取られた写真フィルムＦを、モータＭ１の逆転操作によって引き出しながら高解像度のスキャニングを行う際に、巻取りドラム４１を固定しようとするフリクションクラッチ４１ｃの作用が、写真フィルムＦに損傷を与えたり、写真フィルムＦの搬送速度に微妙な影響を与えることのないように、巻取りドラム４１とフリクションクラッチ４１ｃの間には、写真フィルムＦの引き出し操作に応じて巻取りドラム４１を遊転させるためのワンウェイクラッチ４１ｄが介装されている（図５を参照）。
【００３２】
（操作アームの構造）
アクチュエータ機構５０の操作アーム５１は、図１２（イ）に示す水平姿勢と、図１２（ロ）に示すリフト姿勢の間で軸芯Ｘ３回りで揺動可能に支持されている。操作アーム５１は、ソレノイド４９からの上向きの操作力を入力するための被操作部５１ａと、第１ガイドアーム４２に操作力を伝える第１操作部５１ｂと、第２ガイドアーム４３に操作力を伝える第２操作部５１ｃとを有する。
【００３３】
（第１ガイドアームの構造）
図８、図９および図１２に示すように、第１ガイドアーム４２の先端には、一対の遊転ローラ４２ａ，４２ａ（付勢部材の一例）が支持されている。また、第１ガイドアーム４２の下面には、軸芯Ｘ３付近から遊転ローラ４２ａ，４２ａ付近まで延びた案内面４２ｂが形成されている。案内面４２ｂは、下向き凹面状の断面形状を有し、写真フィルムＦの先端をスムースに案内する働きを有する。また、第１ガイドアーム４２の遊転ローラ４２ａ，４２ａよりも上方の位置からは、被操作軸４２ｃが横向きに延びている。
第１ガイドアーム４２は、遊転ローラ４２ａ，４２が巻取りドラム４１の周面に近接し、写真フィルムを巻取りドラム４１の周面に押付ける第１姿勢（図１２の（イ）の状態）と、遊転ローラ４２ａ，４２ａが巻取りドラム４１の周面から離間した第２姿勢（図１２の（ロ）の状態）との間で、軸芯Ｘ３周りで揺動可能に支持されている。そして、第１ガイドアーム４２を前記第１姿勢に付勢するコイルスプリング４２ｓが設けられている。尚、第１ガイドアーム４２の被操作軸４２ｃは、コイルスプリング４２ｓの付勢力によって常に操作アーム５１の第１操作部５１ｂに向けて下向きに押付けられている。
【００３４】
そこで、ソレノイド４９に給電が行われると、操作アーム５１がリフト姿勢に操作され、操作アーム５１の第１操作部５１ｂが第１ガイドアーム４２の被操作軸４２ｃを上方に持ち上げることによって、第１ガイドアーム４２をコイルスプリング４２ｓの付勢力に抗して前記第２姿勢に切り換え操作する。ソレノイド４９への給電が解除されると、操作アーム５１が操作解除されて図１２（イ）の状態に復帰するので、第１ガイドアーム４２はコイルスプリング４２ｓの付勢力に基づいて前記第１姿勢に復帰する。尚、第１ガイドアーム４２の前記「第２姿勢」は、写真フィルムを巻取りドラム４１の周面から離間した「解放姿勢」と言える。
【００３５】
（第２ガイドアームの構造）
図８、図９および図１２に示すように、第２ガイドアーム４３は鋭角な断面形状を備えた先端部４３ａを有する。第２ガイドアーム４３の内面には、軸芯Ｘ４付近から先端部４３ａまで概して上方に延びた第１案内面４３ｂが形成されている。第１案内面４３ｂは、凹面状の断面形状を有し、写真フィルムＦの先端を下方側にスムースに案内する働きを有する。また、先端部４３ａからは、下流側に向かって水平に延びた第２案内面４３ｃが延びている。第２案内面４３ｃは平面状の断面形状を有し、写真フィルムＦの先端を排出口１０ｂ側へとスムースに案内する働きを有する。また、第２ガイドアーム４３の第２案内面４３ｃよりも下方の位置からは、被操作軸４３ｄが横向きに延びている。
【００３６】
第２ガイドアーム４３は、先端部４３ａが前記第２姿勢にある第１ガイドアーム４２の案内面４２ｂよりも径方向外側に退避した第１姿勢（図１２の（イ）の状態）と、先端部４３ａが巻取りドラム４１の周面に突出形成された弾性ベルト４１ａの外周面よりも巻取りドラム４１の中心側に進入した第２姿勢（図１２の（ロ）の状態）との間で、軸芯Ｘ４周りで揺動可能に支持されている。そして、第２ガイドアーム４３を前記第１姿勢に付勢するコイルスプリング４３ｓが設けられている。第２ガイドアーム４３が第１姿勢にある時、写真フィルムＦの先端は、巻取りドラム４１に巻き取られるべく、第１案内面４３ｂに沿って下方に案内される。他方、第２ガイドアーム４３が第２姿勢にある時、写真フィルムＦの先端は、第２案内面４３ｃによって水平に案内され、巻取りドラム４１の上方を素通りして排出口１０ｂ側へと進む。尚、第２ガイドアーム４３の被操作軸４３ｄは、コイルスプリング４３ｓの付勢力によって常に操作アーム５１の第２操作部５１ｃに向けて下向きに押付けられている。
【００３７】
そこで、ソレノイド４９に給電が行われると、操作アーム５１がリフト姿勢に操作され、操作アーム５１の第２操作部５１ｃが第２ガイドアーム４３の被操作軸４３ｄを装入口１０ａ向きに揺動操作することによって、第２ガイドアーム４３をコイルスプリング４３ｓの付勢力に抗して前記第２姿勢に切り換え操作する。ソレノイド４９への給電に応じてこの操作アーム５１の第２操作部５１ｃが示す上方向きに近い運動を、操作アーム５１の第２操作部５１ｃのより水平に近い運動に変換するために、操作アーム５１の第２操作部５１ｃは、第２操作部５１ｃの摺動を許すスムースな面状に形成されている。ソレノイド４９への給電が解除されると、操作アーム５１は操作解除されて図１２（イ）の状態に復帰するので、第２ガイドアーム４３はコイルスプリング４３ｓの付勢力に基づいて前記第１姿勢に復帰する。
【００３８】
（保持アームの構造）
図８、図９および図１２に示すように、保持アーム４４の先端には、一対の遊転ローラ４４ａ，４４ａが支持されている。そして、保持アーム４４は、遊転ローラ４４ａ，４４ａが進入してきた写真フィルムの先端を巻取りドラム４１の周面に押付ける作用姿勢と、遊転ローラ４４ａ，４４ａが巻取りドラム４１から径方向外側に離間した非作用姿勢との間で軸芯Ｘ５周りで揺動可能に支持されている。そして、保持アーム４４を前記作用姿勢に付勢するコイルスプリング４４ｓが設けられている。保持アーム４４については、アクチュエータ機構５０の作用と無関係に常にコイルスプリング４４ｓからの付勢力で巻取りドラム４１の周面、または、巻取りドラム４１の周面上に巻き回された写真フィルムＦの最外周面に押付けられた状態に保持されている。保持アーム４４の下流側に面した内面には、軸芯Ｘ５付近から遊転ローラ４４ａ，４４ａ付近まで延びた案内面４４ｂが形成されている。案内面４４ｂは、下流側を向いた凹面状の断面形状を有し、写真フィルムＦの先端を、巻取りドラム４１の周面を形成している弾性ベルト４１ａと遊転ローラ４４ａ，４４ａの境界部へとスムースに案内する働きを有する。
【００３９】
以上の説明から理解されるように、アクチュエータ機構５０の操作アーム５１は、巻取りユニット４０の通過モードへの切り換えに際して、第１ガイドアーム４２をその第１姿勢から第２姿勢に切り換える操作と、第２ガイドアーム４３をその第１姿勢から第２姿勢に切り換える操作とを同時に行う。同様に、アクチュエータ機構５０の操作アーム５１は、巻取りユニット４０の巻き取りモードへの切り換えに際して、第１ガイドアーム４２をその第２姿勢から第１姿勢に戻す操作と、第２ガイドアーム４３をその第２姿勢から第１姿勢に切り換える操作とを同時に行うように構成されている。
【００４０】
ところで、ツーパス方式におけるプレスキャンでは、写真フィルムＦの種類と無関係に巻取りドラム４１はモータＭ１の回転力に基づいて巻き取り方向に駆動操作されるが、ツーパス方式における本スキャンでは、巻取りドラム４１はワンウェイクラッチ４１ｄの作用によってフリー回転されるので、巻き取られていた写真フィルムは抵抗無く引き出され、本スキャンで得られる高解像度の画像データにスキャン速度の変化に基づくノイズが生じ難いように構成されている。
次に、１３５写真フィルムＦ１の場合に、オペレータによってワンパス方式における唯一回のスキャン（本スキャン）が指示されると、巻取りユニット４０は自動的に図１２（ロ）に示す通過モードに切り換えられた上で、１３５写真フィルムＦ１のスキャニングが開始される。すなわち、通過モードでは、アクチュエータ機構５０の操作アーム５１の作用によって、第１ガイドアーム４２と第２ガイドアーム４３が同時に各第２姿勢に切り換えられている。したがって、スキャニングの進行に応じて下流側に送られて来る１３５写真フィルムＦ１の先端は、巻取りドラム４１の周面に押付けられることなく、第１ガイドアーム４２の遊転ローラ４２ａ，４２ａと巻取りドラム４１の間に形成された十分に大きな空隙部を殆ど抵抗を受けること無く通過し、さらに、第２ガイドアーム４３の第２案内面４３ｃ上をスムースに案内されて、主搬送機構と等しい搬送速度で回転駆動される補助排出ローラ対Ｒ１ｅ，Ｒ１ｅに挟持され、排出口１０ｂからフィルムキャリア９外へと送り出される。したがって、入力部４１Ｂと巻取りドラム４１の間に介装されたフリクションクラッチ４１ｃの摩擦力が画像データに影響を与えない状態で、ワンパス方式による本スキャンが実施される。
【００４１】
（カートリッジ操作機構）
フィルムキャリア９には、専用のカートリッジＦＣ内に収納されている２４０フィルムＦ２をスキャニング処理するためのカートリッジ操作機構６０が設けられている。図３と図４に示すように、カートリッジ操作機構６０は、カートリッジＦＣを係止するためにデュアルレーンユニット３０の第２搬送レーンＦＬ２の上流側端部に設けられたポケット状のカートリッジホルダ６１と、カートリッジホルダ６１内に係止されたカートリッジＦＣのスプール軸ＦＣ１の端面内に係入するようにカートリッジホルダ６１の対向する一対の壁面６１ａ，６１ｂから内側に突出した１対のスピンドル６２ａ，６２ｂと、カートリッジＦＣの開口部を開閉する遮光扉ＦＣ２の被走査軸の端面内に係入するように奥側の壁面６１ａから内側に突出した扉操作軸６３と、手前側のスピンドル６２ｂと扉操作軸６３とを適宜のタイミングで必要な方向に回転駆動するためにデュアルレーンユニット３０の手前側の端部に固定されたモータＭ２とを有する。
【００４２】
カートリッジホルダ６１の奥側の壁面６１ａは、カートリッジＦＣの軸芯方向に沿って移動可能なブロック状部材６４に形成されている。ブロック状部材６４は、図４の双方向を向いた矢印が示すように、１対のスピンドル６２ａ，６２ｂ間の間隔がカートリッジＦＣの長さを超える開放位置と、１対のスピンドル６２ａ，６２ｂがカートリッジＦＣのスプール軸ＦＣ１の端面内に係入する係止位置との間で切り換え可能になっている。ブロック状部材６４の位置の切り換えは、フィルムキャリア９外に突出した第２操作ハンドルＨ２を介してオペレータの手動操作によって行われる。
デュアルレーンユニット３０を前記第１位置に切り換え、ブロック状部材６４を開放位置にした状態で２４０フィルムＦ２のカートリッジＦＣをカートリッジホルダ６１内に投入し、第２操作ハンドルＨ２によってブロック状部材６４を係止位置に切り換えると、自動的に、モータＭ２によって先ず扉操作軸６３が駆動されて、カートリッジＦＣの遮光扉ＦＣ２が開放され、次に、スピンドル６２ａが駆動されて、カートリッジＦＣの開口部から２４０フィルムＦ２が、第２搬送レーンＦＬ２に供給されるように構成されている。
尚、第２搬送レーンＦＬ２には、２４０フィルムＦ２の磁気トラック上に記録された磁気記録の内容を読み取る磁気トラックリーダ６６が配置されている。磁気記録の内容は、撮影に使用されたカメラから記録された撮影データや、前回のプリント処理を行ったプリント装置等から記録された露光条件に関しており、現在実施しようとしているプリント用の露光操作等に反映させることができる。
【００４３】
（除塵機構の構成）
図４と図５に示すように、フィルムキャリア９には、第２搬送レーンＦＬ２を通過中の２４０フィルムＦ２の面に存在する塵埃などを物理的に除去するための除塵機構７０が設けられている。除塵機構７０は、磁気記録リーダ６６の直前に配置された一対の無端状のクリーニングベルト７１と、クリーニングベルト７１の手前側の端部に隣接して配置された除塵ブラシ７４と、除塵ブラシ７４に隣接するようにフィルムキャリア本体１０の下側本体１０Ｌに設けられた排気ファン７５とを有する。クリーニングベルト７１は、デュアルレーンユニット３０のレーンユニット本体３０ａに支持された下側ベルト７１ａと、第１揺動プレート３１ａ側に支持された上側ベルト７１ｂとからなる。下側ベルト７１ａと上側ベルト７１ｂはいずれも第２搬送レーンＦＬ２の軸芯Ｘ２と直角に延びている。下側ベルト７１ａと上側ベルト７１ｂの内側面は、軸芯Ｘ２と平行に延びた軸芯を持つタイミングプーリの歯と噛合するタイミングベルトの形態を有するが、その外側面には、クリーニング用の別珍かそれに類似の起毛されたファブリックシートが貼付されている。
【００４４】
尚、モータＭ１の正転に応じて、２４０フィルムＦ２が左向きに搬送されるプレスキャンのモードでは下側ベルト７１ａと上側ベルト７１ｂが回転駆動されるが、モータＭ１の逆転に応じて、２４０フィルムＦ２が右向きに搬送される本スキャンのモードでは下側ベルト７１ａと上側ベルト７１ｂが回転駆動されず、静止状態に保持されるように構成されている。これは、回転操作中のベルト７１ａ，７１ｂが、本スキャンの際の２４０フィルムＦ２の搬送速度にむらを生じる要素を排除するためである。
【００４５】
除塵ブラシ７４は、ベルト７１ａ，７１ｂと同様に、第２搬送レーンＦＬ２の軸芯Ｘ２と平行な軸芯周りで回転自在に支持されており、除塵ブラシ７４から径方向外向きに延びた多数の剛毛体は、ベルト７１ａ，７１ｂの面と直角に延び、双方のベルト７１ａ，７１ｂの面に常に押付けられている。除塵ブラシ７４は、モータＭ１の正転に応じて回転操作されるベルト７１ａ，７１ｂと常に同期回転され、下側ベルト７１ａと上側ベルト７１ｂの双方と逆向きに回転駆動されて、ベルト７１ａ，７１ｂ上に付着している塵埃などを掻き取り、下方に送る。下方に送られた塵埃は、下側本体１０Ｌに設けられた排気ファン７５によって、フィルムキャリア本体１０外に排出される。
【図面の簡単な説明】
【図１】本発明の一実施形態としてのスキャナ装置の外観斜視図
【図２】図１のスキャナ装置に設けられたフィルムキャリアの外観斜視図
【図３】フィルムキャリアの内部を示す斜視図
【図４】フィルムキャリアの内部を示す平面図
【図５】フィルムキャリアの回転駆動系を主に示す平面図
【図６】フィルムキャリアのデュアルレーンユニットの動きを主に示す平面図
【図７】フィルムキャリアの巻取りユニットを示す斜視図
【図８】巻取りユニットの操作アームを含む要部を示す分解斜視図
【図９】巻取りユニットのコイルスプリングを含む分解斜視図
【図１０】巻取りユニットをソレノイドと共に示す平面図
【図１１】図１０の巻取りユニットの側面図
【図１２】巻取りユニットの２つのモードを写真フィルムと共に示す正面図
【図１３】フィルムキャリアの補助排出ローラ対の付近を示す斜視図
【図１４】１３５フィルムに実施される２つのスキャニング操作方法を示す正面図
【図１５】２４０フィルムに実施されるスキャニング操作方法を示す正面図
【符号の説明】
１  スキャナ装置
２  スキャナ本体
９  フィルムキャリア
１０  フィルムキャリア本体
１０ａ  装入口
１０ｂ  排出口
３０  デュアルレーンユニット
４０  巻取りユニット
Ｆ１  １３５フィルム
Ｆ２  ２４０フィルム
ＦＬ１  第１搬送レーン
ＦＬ２  第２搬送レーン
ＳＰ  スキャニングポイント
Ｒ１ｅ，Ｒ１ｅ  補助排出ローラ対
【図１】
0004045480.tif 000002
【図２】
0004045480.tif 000003
【図３】
0004045480.tif 000004
【図４】
0004045480.tif 000005
【図５】
0004045480.tif 000006
【図６】
0004045480.tif 000007
【図７】
0004045480.tif 000008
【図８】
0004045480.tif 000009
【図９】
0004045480.tif 000010
【図１０】
0004045480.tif 000011
【図１１】
0004045480.tif 000012
【図１２】
0004045480.tif 000013
【図１３】
0004045480.tif 000014
【図１４】
0004045480.tif 000015
【図１５】
0004045480.tif 000016